(57)【特許請求の範囲】
【請求項１】
両側の縦杆の上端部に、断面が伏コ字状，伏Ｕ字状等の下方が開口した断面形状を備えるフック片を幅方向に差し渡し状に固着してなる梯子と、
マンホールの開口を跨ぐように差し渡されて、梯子のフック片が上方から嵌着される吊持ち杆と、吊持ち杆にフック片とほぼ等しい間隔を置いて固着されて、フック片の幅方向移動を阻止する規制突片と、吊持ち杆に垂設されて梯子の両縦杆に当接し、該梯子の揺動を規制する抑止片とを備えたサポートフレームと
からなるマンホール用梯子装置。
【発明の詳細な説明】
【０００１】
【産業上の利用分野】
本発明は、マンホール内を昇降するための梯子装置に関するものである。
【０００２】
【従来の技術】
マンホール用の梯子は、マンホールの種々の深さに対応するため、マンホール周囲で支持して、脱着可能に垂設される。
【０００３】
この梯子装置としては、図４で示す構成のものが、本発明者によって提案されている。この構成は、マンホールｈの側傍に、マンホールに横断方向へ差し渡される吊持ち杆ｔと、その両端に固着された保持足片ｕ，ｕとからなるＨ形のサポートフレームｓを配置し、梯子ｐの上端に固着したフック片ｆを、サポートフレームｓの吊持ち杆ｔに上から掛け、これにより該梯子ｐをマンホールｈ内に垂設するようにしてなる。この梯子装置は、サポートフレームｓと梯子ｐのみによって構成され、マンホールｈに簡単に組付けできるという利点がある。
【０００４】
【発明が解決しようとする課題】
ところで、この構成あっては、梯子を作業員が昇降している最中に、その重さ移動によって、フック片ｆがサポートフレームｓの吊持ち杆ｔ上で左右方向へ移動したり、マンホールの径方向への支えがないことから、該径方向へも揺動し、左右前後いずれへも安定性がなく、作業者の安全を充分に確保できないという問題点があった。この場合に、梯子をマンホールの円弧縁に接触させれば、その径方向への揺動をいくらかは防止できるが、その円弧の案内作用により、周方向へ移動し易くなって、かえって不安定となる。
【０００５】
本発明は、梯子を安定的に垂下し得るマンホール用梯子装置の提供を目的とするものである。
【０００６】
【課題を解決するための手段】
本発明は、両側の縦杆の上端部に、断面が伏コ字状，伏Ｕ字状等の下方が開口した断面形状を備えるフック片を幅方向に差し渡し状に固着してなる梯子と、
マンホールの開口を跨ぐように差し渡されて、梯子のフック片が上方から嵌着される吊持ち杆と、吊持ち杆にフック片とほぼ等しい間隔を置いて固着されて、フック片の幅方向移動を阻止する規制突片と、吊持ち杆に垂設されて梯子の両縦杆に当接し、該梯子の揺動を規制する抑止片とを備えたサポートフレームと
からなるマンホール用梯子装置である。
【０００７】
【作用】
サポートフレームを、その吊持ち杆がマンホールを横断するようにして載置し、フック片を吊持ち杆に上方から嵌着して、梯子をマンホール内へ垂下させる。かかる組付け状態にあって、フック片は規制突片により吊持杆に沿った移動が不能となり、梯子の横移動又は横揺れが阻止される。また作業者が梯子に足を掛けると、その体重により外方への回転モーメントが作用し、該梯子は吊持ち杆を中心として外方へ付勢され、抑止片に圧接して支持される。このため、梯子は内外方向への揺動を阻止される。
而して、作業者の昇降時に、梯子は安定的に保持され、その昇降の安全性が確保されることとなる。
【０００８】
【実施例】
本発明の一実施例を、図１〜３に従って説明する。
本発明のマンホール用梯子装置は、梯子１とサポートフレーム１０とで構成される。ここで梯子１は、夫々パイプ材からなる縦杆３，３と、該縦杆３，３間に所定間隔を置いて差し渡される横杆４とからなる。この横杆４を差し渡された部分が、マンホールｈ内に垂下され、昇降に供される。前記縦杆３，３の上端には下方が開口した断面伏コ字状のフック片６が固着される。このフック片６の断面形状は、伏Ｕ字状等、吊持ち杆１１の断面形状に適合して、上方から外嵌可能な開口を備えるものであれば良い。
【０００９】
上述の構成になる梯子１は、高さを約２〜３ｍ程度とし、幅を約300mm 程度となるように設計されている。
【００１０】
次にサポートフレーム１０の構成を説明する。
このサポートフレーム１０は、マンホールｈの開口を跨ぐように差し渡されて、梯子１のフック片６が上方から嵌着される吊持ち杆１１を備える。この吊持ち杆１１は、角形パイプからなり、マンホールｈの内径又はこれを少し越える程度の長さとしている。また吊持ち杆１１の両端には、断面Ｌ形の杆状保持足片１２，１２が固着される。この保持足片１２，１２の固着位置は、外端寄りに偏位させている。さらには吊持ち杆１１には、前記フック片６の長さ間隔を置いて、左右二片の規制突片１３，１３が固着される。この規制突片１３，１３の間隔内に前記フック片６が遊嵌され、その幅方向移動を阻止される。
【００１１】
一方、この吊持ち杆１１には、間隔を置いて垂持柱１４，１４が垂設され、該垂持柱１４，１４下端に板状の抑止片１５が固着される。この抑止片１５はその前縁が後述するように梯子１の縦杆３，３に当接して該梯子１を支持するものであり、その支持位置がほぼ垂直状態となるように、抑止片１５の幅を定めている。
【００１２】
かかる構成にあって、梯子１をマンホールｈ内に垂設させるには、まずサポートフレーム１０の吊持ち杆１１がマンホールｈを横断するように配置する。この場合には、保持足片１２，１２の中心位置がマンホールｈの中心に一致するように、該吊持ち杆１１を一側寄りとする。尚、最大限一側寄りにすれば、後述する梯子１の垂下状態で、マンホール内面にフック片６の外面が接触し、昇降の際にサポートフレーム１０が水平方向へ移動することがない。
【００１３】
そして、サポートフレーム１０に設けられた規制突片１３，１３間に梯子１のフック片６を上方から嵌着する。これにより、梯子１がマンホールｈ内に垂下する。そして、フック片６の下方でその縦杆３，３に抑止片１５の先端が接触し、梯子１はほぼ垂直状態となる。
【００１４】
このように組み付けた状態で、作業者が梯子１の横杆４に乗ると、その体重により、吊持ち杆１１に対して梯子１には、図２で示すように外方への回転モーメントｆが発生する。ここで図中「ｏ」は、作業者の重心位置を、「ｍ」は作業者の重さを示す。このため、梯子１は前記抑止片１５の先端に圧接することとなり、該梯子１は作業者の昇降の際にサポートフレーム１０に対して揺動することなく安定的に保持される。また、フック片６は規制突片１３，１３間で左右方向の移動不能に保持されているから、横移動することはなく、かつ横揺れも可及的に抑止される。
【００１５】
【発明の効果】
本発明の梯子装置は、上述のように、サポートフレーム１０の吊持ち杆１１に規制突片１３，１３を形成して、梯子１のフック片６を規制突片１３，１３で幅方向移動不能とし、かつ抑止片１５を垂設して、梯子１をフック片６の下方で支持し、作業者の昇降時に、梯子１を抑止片１５に圧接するようにして横揺れを防止したものであるから、部品点数が少なく、構造が簡単で、組み付け容易でありながらも、梯子１を安定的に保持でき、作業者の昇降時の安全性を確保し得ることとなる等の優れた効果がある。
【図面の簡単な説明】
【図１】本発明の組み付状態を示す斜視図である。
【図２】縦断側面図である。
【図３】平面図である。
【図４】先行技術に係るマンホール用梯子装置の斜視図である。
【符号の説明】
１  梯子
３，３  縦杆
４  横杆
６  フック片
１０  サポートフレーム
１１  吊持ち杆
１３，１３  規制突片
１５  抑止片
【図１】
0003763871.tif 000002
【図２】
0003763871.tif 000003
【図３】
0003763871.tif 000004
【図４】
0003763871.tif 000005